(57)【要約】      （修正有）【課題】字幕の可読性を向上させ、複数の番組の同時視聴を容易にする。【解決手段】放送局を選局して映像信号、音声信号及び字幕信号を抽出する複数の受信信号処理部と、映像信号及び字幕信号を合成する映像合成処理部・音声処理部と、映像出力部と、操作部と、操作部からの操作指示信号が入力された場合に、複数の受信信号処理部のうちいずれか一の受信信号処理部により選局された一の映像信号と他の受信信号処理部により選局された他の映像信号とを映像出力部の映像表示領域３１Ａに表示させ、且つ、他の受信信号処理部の字幕信号抽出部により抽出された他の字幕信号に対応する字幕を映像出力部の字幕表示領域３４に表示させる制御部と、を備える。【選択図】図３
2009164697.tif 000002
【特許請求の範囲】
【請求項１】
放送局を選局して映像信号、音声信号及び字幕信号を抽出する複数の受信信号処理部と、
前記複数の受信信号処理部を介して入力される映像信号、字幕信号を合成する映像合成処理部と、
前記映像合成処理部から出力される映像信号を入力とし、映像表示領域と、この映像表示領域とは独立した字幕表示領域とを有する映像出力部と、
前記映像出力部に複数の映像を合成表示するか否かの操作指示信号を出力する操作部と、
前記操作部からの操作指示信号が入力された場合に、前記複数の受信信号処理部のうちいずれか一の受信信号処理部により選局された一の映像信号と他の受信信号処理部により選局された他の映像信号とを前記映像出力部の前記映像表示領域に表示させ、且つ、前記他の受信信号処理部の字幕信号抽出部により抽出された他の字幕信号に対応する字幕を前記映像出力部の前記字幕表示領域に表示させる制御部と、
を備える映像表示装置。
【請求項２】
前記他の映像信号及び前記他の字幕信号を前記放送局の次回選局時まで記憶する記憶部を備え、
前記制御部は、
前記放送局を任意の時間間隔で順繰りに前記他の受信信号処理部に選局させ、前記操作部からの操作指示信号が入力された場合に、前記一の映像信号、前記他の映像信号及び前記記憶部に記憶された他の映像信号を前記映像出力部の映像表示領域に表示させ、且つ、前記字幕抽出部により抽出された他の字幕信号に対応する字幕及び前記記憶部に記憶された他の字幕信号に対応する字幕を前記映像出力部の前記字幕表示領域に表示させる請求項１に記載の映像表示装置。
【請求項３】
放送局を選局して映像信号、音声信号及び字幕信号を抽出する複数の受信信号処理部と、
前記複数の受信信号処理部を介して入力される映像信号、字幕信号を合成する映像合成処理部と、
前記映像合成処理部から出力される映像信号を入力とし、映像表示領域と、この映像表示領域とは独立した字幕表示領域とを有する映像出力部と、
前記映像出力部に複数の字幕を表示するか否かの操作指示信号を出力する操作部と、
前記放送局を任意の時間間隔で順繰りに受信信号処理部に選局させる制御部と、
複数の字幕信号を前記放送局を信号の次回選局時まで記憶する記憶部と、を備え、
前記制御部は、
操作部からの操作指示信号が入力された場合に、前記複数の受信信号処理部のうちいずれか一の受信信号処理部により選局された一の映像信号と他の受信信号処理部により選局された、前記他の受信信号処理部の字幕信号抽出部により抽出された他の字幕信号に対応する字幕を前記映像出力部の前記字幕表示領域に表示させる制御部と、
を備える映像表示装置。
【請求項４】
放送局を選局して映像信号、音声信号及び字幕信号を抽出する複数の受信信号処理部により映像信号、音声信号及び字幕信号を抽出する工程と、
入力される複数の映像信号及び字幕信号を合成する映像合成処理部により映像合成処理を行う工程と、
操作部からの複数の映像を合成表示するか否かの操作指示信号が入力された場合に、前記複数の受信信号処理部のうちいずれか一の受信信号処理部により選局された一の映像信号と他の受信信号処理部により選局された他の映像信号とを映像出力部の映像表示領域に表示させ、且つ、前記他の受信信号処理部の字幕信号抽出部により抽出された字幕信号に対応する字幕を映像出力部の字幕表示領域に表示させる工程と、
を含む映像表示方法。
【請求項５】
コンピュータを、
放送局を選局して映像信号、音声信号及び字幕信号を抽出する複数の受信信号処理部、
前記複数の受信信号処理部を介して入力される映像信号、字幕信号を合成する映像合成処理部、
前記映像合成処理部から出力される映像信号を入力とし、映像表示領域と、この映像表示領域とは独立した字幕表示領域とを有する映像出力部、
前記映像出力部に複数の映像を合成表示するか否かの操作指示信号を出力する操作部、
前記操作部からの操作指示信号が入力された場合に、前記複数の受信信号処理部のうちいずれか一の受信信号処理部により選局された一の映像信号と他の受信信号処理部により選局された他の映像信号とを前記映像出力部の前記映像表示領域に表示させ、且つ、前記他の受信信号処理部の字幕信号抽出部により抽出された他の字幕信号に対応する字幕を前記映像出力部の前記字幕表示領域に表示させる制御部、
として機能させる映像表示プログラム。
【発明の詳細な説明】
【技術分野】
【０００１】
本発明は、映像表示装置、映像表示方法、及び映像表示プログラムに関する
【背景技術】
【０００２】
従来より、表示部に複数の番組を多画面で表示させることにより複数の番組を視聴可能な映像表示装置が知られている。例えば、多画面表示中のうち、ひとつの番組の音声だけを流し（音声出力し）、その他の番組については音声を出力せずに字幕を表示する技術が知られている（例えば、特許文献１参照）。
【０００３】
図９及び図１０を参照して、複数の番組を多画面で表示させる技術について説明する。図９に２画面表示の表示画面９１を示す。表示画面９１は、映像表示部９２，９３を含む。映像表示部９２は、音声出力が行われる番組の映像を表示する。映像表示部９３は、音声出力が行われない番組の映像を表示する。映像表示部９３は、字幕表示部９４を含む。字幕表示部９４は、字幕を表示する。
【０００４】
次いで、図１０に４画面表示の表示画面１０１を示す。表示画面１０１は、映像表示部１０２，１０３，１０４，１０５を含む。映像表示部１０２は、音声出力が行われる番組の映像を表示する。映像表示部１０３，１０４，１０５は、音声出力が行われない番組の映像を表示する。表示画面１０３，１０４，１０５は、それぞれ字幕表示部１０６，１０７，１０８を含む。字幕表示部１０６，１０７，１０８は、字幕を表示する。
【０００５】
図９及び図１０に示すように、従来は、表示画面を分割してより多くの番組を表示部に表示し、そのうち１番組だけ音声を出力し、それ以外の番組については字幕を表示していた。
【特許文献１】特開２００４−２０７９７８号公報
【発明の開示】
【発明が解決しようとする課題】
【０００６】
しかしながら、上述の技術では、多画面表示により番組ひとつ当たりの表示領域が小さくなる。そうすると、ユーザ（視聴者）は、各番組の字幕を読み取ることができず、複数の番組の同時視聴を行うことが困難であった。
【０００７】
本発明の課題は、字幕の可読性を向上させ、複数の番組の同時視聴を容易にすることである。
【課題を解決するための手段】
【０００８】
上記課題を解決するため、請求項１に記載の映像表示装置は、
放送局を選局して映像信号、音声信号及び字幕信号を抽出する複数の受信信号処理部と、
前記複数の受信信号処理部を介して入力される映像信号、字幕信号を合成する映像合成処理部と、
前記映像合成処理部から出力される映像信号を入力とし、映像表示領域と、この映像表示領域とは独立した字幕表示領域とを有する映像出力部と、
前記映像出力部に複数の映像を合成表示するか否かの操作指示信号を出力する操作部と、
前記操作部からの操作指示信号が入力された場合に、前記複数の受信信号処理部のうちいずれか一の受信信号処理部により選局された一の映像信号と他の受信信号処理部により選局された他の映像信号とを前記映像出力部の前記映像表示領域に表示させ、且つ、前記他の受信信号処理部の字幕信号抽出部により抽出された他の字幕信号に対応する字幕を前記映像出力部の前記字幕表示領域に表示させる制御部と、
を備える。
【０００９】
請求項２に記載の発明は、請求項１に記載の映像表示装置において、
前記他の映像信号及び前記他の字幕信号を前記放送局の次回選局時まで記憶する記憶部を備え、
前記制御部は、
前記放送局を任意の時間間隔で順繰りに前記他の受信信号処理部に選局させ、前記操作部からの操作指示信号が入力された場合に、前記一の映像信号、前記他の映像信号及び前記記憶部に記憶された他の映像信号を前記映像出力部の映像表示領域に表示させ、且つ、前記字幕抽出部により抽出された他の字幕信号に対応する字幕及び前記記憶部に記憶された他の字幕信号に対応する字幕を前記映像出力部の前記字幕表示領域に表示させる。
【００１０】
請求項３に記載の映像表示装置は、
放送局を選局して映像信号、音声信号及び字幕信号を抽出する複数の受信信号処理部と、
前記複数の受信信号処理部を介して入力される映像信号、字幕信号を合成する映像合成処理部と、
前記映像合成処理部から出力される映像信号を入力とし、映像表示領域と、この映像表示領域とは独立した字幕表示領域とを有する映像出力部と、
前記映像出力部に複数の字幕を表示するか否かの操作指示信号を出力する操作部と、
前記放送局を任意の時間間隔で順繰りに受信信号処理部に選局させる制御部と、
複数の字幕信号を前記放送局を信号の次回選局時まで記憶する記憶部と、を備え、
前記制御部は、
操作部からの操作指示信号が入力された場合に、前記複数の受信信号処理部のうちいずれか一の受信信号処理部により選局された一の映像信号と他の受信信号処理部により選局された、前記他の受信信号処理部の字幕信号抽出部により抽出された他の字幕信号に対応する字幕を前記映像出力部の前記字幕表示領域に表示させる制御部と、
を備える。
【００１１】
請求項４に記載の発明の映像表示方法は、
放送局を選局して映像信号、音声信号及び字幕信号を抽出する複数の受信信号処理部により映像信号、音声信号及び字幕信号を抽出する工程と、
入力される複数の映像信号及び字幕信号を合成する映像合成処理部により映像合成処理を行う工程と、
操作部からの複数の映像を合成表示するか否かの操作指示信号が入力された場合に、前記複数の受信信号処理部のうちいずれか一の受信信号処理部により選局された一の映像信号と他の受信信号処理部により選局された他の映像信号とを映像出力部の映像表示領域に表示させ、且つ、前記他の受信信号処理部の字幕信号抽出部により抽出された字幕信号に対応する字幕を映像出力部の字幕表示領域に表示させる工程と、
を含む。
【００１２】
請求項５に記載の発明の映像表示プログラムは、
コンピュータを、
放送局を選局して映像信号、音声信号及び字幕信号を抽出する複数の受信信号処理部、
前記複数の受信信号処理部を介して入力される映像信号、字幕信号を合成する映像合成処理部、
前記映像合成処理部から出力される映像信号を入力とし、映像表示領域と、この映像表示領域とは独立した字幕表示領域とを有する映像出力部、
前記映像出力部に複数の映像を合成表示するか否かの操作指示信号を出力する操作部、
前記操作部からの操作指示信号が入力された場合に、前記複数の受信信号処理部のうちいずれか一の受信信号処理部により選局された一の映像信号と他の受信信号処理部により選局された他の映像信号とを前記映像出力部の前記映像表示領域に表示させ、且つ、前記他の受信信号処理部の字幕信号抽出部により抽出された他の字幕信号に対応する字幕を前記映像出力部の前記字幕表示領域に表示させる制御部、
として機能させる。  
【発明の効果】
【００１３】
本発明によれば、字幕の可読性を向上させ、複数の番組の同時視聴を容易にすることができる。
【発明を実施するための最良の形態】
【００１４】
以下、添付図面を参照して本発明に係る実施の形態を詳細に説明する。ただし、発明の範囲は、図示例に限定されない。
【００１５】
先ず、図１を参照して映像表示装置１の装置構成について説明する。映像表示装置１は、制御部１１と、操作部１２と、アンテナ１３と、受信信号処理部１４Ａ〜１４Ｎと、映像合成処理部・音声処理部１８と、映像出力部１９と、音声出力部２０と、を備えて構成される。なお、図１中のＡは、制御部１１が受信信号処理部１４Ａ〜１４Ｎを制御する制御線を示している。
【００１６】
制御部１１は、ＣＰＵ（Central  Processing  Unit）と、ＲＯＭ（Read  Only  Memory）と、ＲＡＭ（Random  Access  Memory）と（以上、図示省略）、を備える。ＣＰＵは、映像表示装置１の各部を中央制御する。ＲＯＭは、情報を読み出し可能なメモリであり、特に、後述する第１の字幕表示プログラムを記憶する。ＲＡＭは、格納する揮発性のメモリであり、各種プログラム及び各種データを展開するワークエリアを有する。
【００１７】
制御部１１は、ＲＯＭに記憶されているシステムプログラム及び各種アプリケーションプログラムの中から指定されたプログラムやＲＡＭに記憶されたデータを読み出して当該ＲＡＭに展開し、ＲＡＭに展開されたプログラムやデータとＣＰＵとの協働で、各種処理を実行する。
【００１８】
制御部１１は、第１の字幕表示プログラムとの協働により、操作部１２からの操作指示信号が入力された場合に、受信信号処理部１４Ａにより選局された一の映像信号と受信信号処理部１４Ｂにより選局された他の映像信号とを映像出力部１９の映像表示部３１Ａに表示させ、且つ、受信信号処理部１４Ｂの字幕信号抽出部１６Ｂにより抽出された他の字幕信号に対応する字幕を映像出力部１９の字幕表示部３４に表示させる。
ここで、操作指示信号とは、１画面に複数の画面を合成して表示する指示信号のことをいう。また、一の映像信号とは、視聴者が視聴を所望するチャンネルで放送されている番組の映像信号のことをいう。例えば、後述するチューナ１５Ａにより選局されたチャンネル（６チャンネル）で放送されている番組の映像信号に該当する。また、他の映像信号とは、視聴者が視聴を所望するチャンネルで放送されている番組の映像信号であり、一の映像信号を有する番組の映像信号と異なる番組の映像信号のことをいう。例えば、後述するチューナ１５Ｂにより選局されたチャンネル（１２チャンネル）で放送されている番組の映像信号に該当する。
また、他の字幕信号とは、チューナ１５Ｂにより選局されたチャンネル（１２チャンネル）で放送されている番組の字幕信号のことをいう。
また、字幕は、予め設定された文字色、文字サイズ、又は文字キャラクタに応じて映像出力部１９の映像表示領域３１Ａに表示される。
【００１９】
操作部１２は、例えば、各種の操作信号を入力するための各種のキー等を備え、視聴者により操作されることによって、各種の操作信号を制御部１１に出力する。
【００２０】
アンテナ１３は、地上波デジタル放送，ＢＳ・ＣＳ放送等の放送波を受信し、地上波デジタル信号，ＢＳ・ＣＳ放送信号等のＲＦ（Radio  Frequency）信号を受信信号処理部１４Ａ〜１４Ｎに出力する。
受信信号処理部１４Ａ〜１４Ｎはそれぞれ、チューナ１５Ａ〜１５Ｎと、字幕抽出部１６Ａ〜１６Ｎと、デコーダ１７Ａ〜１７Ｎと、を備えて構成され、放送局を選局して映像信号、音声信号及び字幕信号を抽出する。
【００２１】
チューナ１５Ａ〜１５Ｎは、ミキサ，選局回路，Ａ／Ｄ変換回路、復調部（いずれも図示省略）等を備えて構成され、放送局の選局（チャンネルで放送される番組の選局）を行う。
具体的には、チューナ１５Ａ〜１５Ｎは、ミキサ，選局回路等により、アンテナ１３から入力された放送波から視聴者が所望する番組を放送するチャンネルを選局し、選局された放送局からの放送波を、ＩＦ（Intermediate Frequency）信号に変換する。そして、Ａ／Ｄ変換回路により、ＩＦ信号をデジタルデータに変換する。そして、復調部によりデジタルデータに復調処理等を行い、復調された復調信号を字幕抽出部１６Ａ〜１６Ｎに出力する。
【００２２】
字幕抽出部１６Ａ〜１６Ｎは、チューナ１４Ａ〜１４Ｎから出力された復調信号を受けて、復調信号から字幕信号を抽出する。そして、抽出した字幕信号を映像合成処理部・音声処理部１８に出力する。
【００２３】
デコーダ１７Ａ〜１７Ｎは、チューナ１４Ａ〜１４Ｎから出力された復調信号にデコー
ド処理（復号処理）を施す。そして、デコード処理された復調信号を、映像信号又は音声
信号として映像合成処理部・音声処理部１８に出力する。
【００２４】
映像合成処理部・音声処理部１８は、字幕抽出部１６Ａ〜１６Ｎ及びデコーダ１７Ａ〜１７Ｎからの出力を受けて、合成映像及び音声の振り分け処理を行う。
例えば、デコーダ１７Ａから映像信号及び音声信号、デコーダ１７Ｂから映像信号、字幕抽出部１６Ｂから字幕信号を受けた場合、映像画像処理部・音声処理部１８は、デコーダ１７Ａからの映像信号とデコーダ１７Ｂからの映像信号とを合成させ、合成された信号に対応する映像（合成映像）を生成する。また、映像画像処理部・音声処理部１８は、字幕抽出部１６Ｂからの字幕信号に対応する字幕を生成する。そして、合成映像及び字幕を映像出力部１９に出力する。また、映像画像処理部・音声処理部１８は、デコーダ１７Ａからの音声信号に対応する音声を生成する。そして、生成した音声を音声出力部２０に出力する。
【００２５】
映像出力部１９は、例えば、ＬＣＤ（Liquid  Crystal  Display）やＰＤＰ（Plasma  Display  Panel）等を備えて構成され、映像合成処理部・音声処理部１８から出力された合成映像を表示する。
【００２６】
音声出力部２０は、例えば、スピーカ等を備えて構成され、映像合成処理部・音声処理部１８から出力された音声を出力する。
【００２７】
次に、図２を参照して、映像表示装置１の制御部１１で実行される第１の字幕表示処理を説明する。第１の字幕表示処理は、音声出力を行わない番組の字幕を映像出力部１９の字幕表示領域３４に表示させる処理である。
【００２８】
例えば、視聴者により操作部１２を介して第１の字幕表示処理の実行指示の入力がされたこと等をトリガとして、ＲＯＭから読み出されて適宜ＲＡＭに展開された第１の字幕表示プログラムと、制御部１１との協働により第１の字幕表示処理が実行される。
【００２９】
なお、本処理では、チューナ１５Ａ及びチューナ１５Ｂの２つのチューナで放送局の選局が行われる場合について説明する。ここで、予め、視聴者により操作部１２を介して、６チャンネルで放送される番組は音声出力し、１２チャンネルで放送される番組は音声出力せず、音声の代わりに字幕を表示する設定がされているものとする。また、チューナ１５Ａにより６チャンネルが選局され、チューナ１５Ｂにより１２チャンネルが選局されることとする。
【００３０】
先ず、視聴者により操作部１２を介して電源（図示省略）が投入される（ステップＳ１１）。そして、視聴者により指定（設定）されたチャンネル値（６チャンネル）に基づいて、チューナ１５Ａにより放送局が選局される（ステップＳ１２）。具体的には、視聴者により設定された６チャンネルの放送局がチューナ１５Ａにより選局され、選局された放送局からの放送波が復調される。そして、復調された復調信号がデコーダ１７に出力される。
【００３１】
そして、デコーダ１７によりチューナ１５Ａからの復調信号がデコードされて出力される（ステップＳ１３）。具体的には、デコーダ１７Ａによりチューナ１５Ａから出力された復調信号がデコードされ、再生可能な映像信号及び音声信号が得られ、当該映像信号及び音声信号が映像合成処理部・音声処理部１８に出力される。そして、映像合成処理部・音声処理部１８により映像信号が映像出力部１９に、音声信号が音声出力部２０にそれぞれ出力される。これにより設定されたチャンネル値（６チャンネル）で放送される番組の視聴が可能となる。
【００３２】
そして、操作部１２を介して多画面表示要求があるか否かが判別される（ステップＳ１４）。すなわち、視聴者による多画面表示要求の操作が操作部１２を介して受け付けられたか否かが判別される。多画面表示要求がないと判別された場合（ステップＳ１４；ＮＯ）、ステップＳ１４に移行される。多画面表示要求があると判別された場合（ステップＳ１４；ＹＥＳ）、チューナ１５Ｂにより選局が行われる（ステップＳ１５）。具体的には、視聴者により設定されたチャンネル値（１２チャンネル）に基づいて、チューナ１５Ｂにより放送局が選局される。そして、チューナ１５Ｂにより選局された放送波が復調され、復調された復調信号が字幕抽出部１６Ｂ及びデコーダ１７Ｂに出力される。
【００３３】
ステップＳ１６の実行後、デコーダ１７Ｂにより復調信号がデコードされ出力される（ステップＳ１６）。具体的には、デコーダ１７Ｂによりチューナ１５Ｂから出力された復調信号がデコードされ、再生可能な映像信号が得られ、当該映像信号が映像合成処理部・音声処理部１８に出力される。
【００３４】
そして、チューナ１５Ｂからの復調信号に字幕信号があるか否かが判別される（ステップＳ１７）。すなわち、字幕抽出部１６Ｂによりチューナ１５Ｂから出力された復調信号に字幕信号があるか否かの検出が行われる。チューナ１５Ｂからの復調信号に字幕信号がないと判別された場合（ステップＳ１７；ＮＯ）、第１の字幕表示処理は終了される。なお、本実施の形態では、チューナ１５Ｂにより字幕を表示する番組（１２チャンネルで放送される番組）が選局される。したがって、ステップＳ１７において、チューナ１５Ｂからの復調信号に字幕信号があると判別される。
【００３５】
チューナ１５Ｂからの復調信号に字幕信号があると判別された場合（ステップＳ１７；ＹＥＳ）、字幕信号が抽出され、抽出された字幕信号が映像合成処理部・音声処理部１８に出力される。そして、映像合成処理部・音声処理部１８により、デコーダ１７Ａから出力された映像信号（６チャンネルで放送される番組の映像信号）とデコーダ１７Ｂから出力された映像信号（１２チャンネルで放送される番組の映像信号）とが合成され、合成された映像（合成映像）が生成される。また、映像合成処理部・音声処理部１８により字幕抽出部１６Ｂから出力された字幕信号（１２チャンネルで放送される番組の字幕信号）に対応する字幕が生成される。そして、生成された合成映像及び字幕が映像出力部１９に出力される。このとき、字幕は、放送局を同じくする映像内（後述する図３の映像表示部３３内）ではなく、字幕表示領域３４に出力（表示）される（ステップＳ１８）。ステップＳ１８の実行後、第１の字幕表示処理は終了される。
【００３６】
次に、図３を参照して、映像出力部１９に表示される表示画面の例を説明する。図３に表示画面３１を示す。表示画面３１は、第１の字幕表示処理のステップＳ１８において映像出力部１９に表示される画面を示している。表示画面３１は、映像表示領域３１Ａと、字幕表示領域３４と、を含む。なお、楕円で囲まれた部分は、音声出力の有無に関する注釈を示し、以降の図に関しても同様の表現を用いる。
【００３７】
映像表示領域３１Ａは、映像表示部３２，３３を含む。映像表示部３２は、チューナ１５Ａにより選局されたチャンネル（６チャンネル）で放送される番組の映像を表示する。映表示部３３は、チューナ１５Ｂにより選局されたチャンネル（１２チャンネル）で放送される番組の映像を表示する。字幕表示領域３４は、１２チャンネルで放送される番組の字幕を表示する。ここで、６チャンネルで放送される番組の音声は音声出力部２０から出力される。一方、１２チャンネルで放送される番組の音声は音声出力部２０から出力されない。この場合、１２チャンネルで放送される番組の字幕が字幕表示領域３４に表示される。視聴者は、表示画面３１を参照することにより、６チャンネル及び１２チャンネルで放送される両方の番組を視聴することが可能となる。
【００３８】
次に、図４を参照して、映像表示装置１の制御部１１で実行される第２の字幕表示処理を説明する。第２の字幕表示処理は、音声出力を行わない番組が複数ある場合、それぞれの番組における字幕を映像出力部１８の字幕表示領域３４に表示させる処理である。
【００３９】
例えば、視聴者により操作部１２を介して第２字幕表示処理の実行指示の入力がされたこと等をトリガとして、ＲＯＭから読み出されて適宜ＲＡＭに展開された第２の字幕表示プログラムと、制御部１１との協働により第２の字幕表示処理が実行される。
【００４０】
なお、本処理では、チューナ１５Ａで６チャンネルの選局が行われ、チューナ１５Ｂ，１５Ｃ，１５Ｄでチャンネル（８チャンネル、９チャンネル、１２チャンネル）の放送局の選局が行われる場合について説明する。ここで、予め、視聴者により操作部１２を介して、６チャンネルで放送される番組は音声出力し、８、９、１２チャンネルで放送される番組は音声出力せず、音声の代わりに字幕を表示する設定がされているものとする。
【００４１】
ステップＳ２１〜２４は、第１の字幕表示処理のステップＳ１１〜Ｓ１４とそれぞれ同様である。ステップＳ２４において、多画面表示要求があると判別された場合（ステップＳ２４；ＹＥＳ）、チューナ１５Ｂ〜１５Ｄのそれぞれにより選局が行われる（ステップＳ２５）。具体的には、視聴者により設定されたチャンネル値（８、９、１２チャンネル）に基づいて、チューナ１５Ｂ〜１５Ｄにより各チャンネルが選局される。そして、チューナ１５Ｂ〜１５Ｄのそれぞれにより選局された放送波が復調され、復調された復調信号が字幕抽出部１６Ｂ〜１６Ｄ及びデコーダ１７Ｂ〜１７Ｄにそれぞれ出力される。
【００４２】
ステップＳ２５の実行後、デコーダ１７Ｂ〜１７Ｄのそれぞれにより復調信号がデコードされ出力される（ステップＳ２６）。具体的には、デコーダ１７Ｂ〜１７Ｄのそれぞれによりチューナ１５Ｂ〜１５Ｄのそれぞれから出力された復調信号がデコードされ、再生可能な映像信号が得られ、当該映像信号が映像合成処理部・音声処理部１８に出力される。
【００４３】
そして、チューナ１５Ｂ〜１５Ｄからの復調信号に字幕信号があるか否かが判別される（ステップＳ２７）。すなわち、字幕抽出部１６Ｂ〜１６Ｄにより、チューナ１５Ｂ〜１５Ｄのそれぞれから出力された復調信号に字幕信号があるか否かの検出が行われる。チューナ１５Ｂ〜１５Ｄのそれぞれからの復調信号に字幕信号がないと判別された場合（ステップＳ２７；ＮＯ）、第２の字幕表示処理は終了される。
【００４４】
ステップＳ２７において、チューナ１５Ｂ〜１５Ｄのそれぞれからの復調信号に字幕信号があると判別された場合（ステップＳ２７；ＹＥＳ）、字幕信号が抽出され、抽出された字幕信号が映像合成処理部・音声処理部１８に出力される。そして、映像合成処理部・音声処理部１８により、デコーダ１７Ａから出力された映像信号（６チャンネルで放送される番組の映像信号）、デコーダ１７Ｂから出力された映像信号（８チャンネルで放送される番組の映像信号）、デコーダ１７Ｃから出力された映像信号（９チャンネルで放送される番組の映像信号）、及びデコーダ１７Ｄから出力された映像信号（１２チャンネルで放送される番組の映像信号）が合成され、合成された映像（合成映像）が生成される。また、映像合成処理部・音声処理部１８により字幕抽出部１６Ｂから出力された字幕信号（８チャンネルで放送される番組の字幕信号）、字幕抽出部１６Ｃから出力された字幕信号（９チャンネルで放送される番組の字幕信号）、及び字幕抽出部１６Ｄから出力された字幕信号（１２チャンネルで放送される番組の字幕信号）のそれぞれに対応する字幕が生成される。そして、生成された合成映像及び字幕が映像出力部１９に出力される。このとき、字幕は、後述する字幕表示領域５６に出力（表示）される（ステップＳ２８）。ステップＳ２８の実行後、第２の字幕表示処理は終了される。
【００４５】
次に、図５を参照して、映像出力部１９に表示される表示画面の例を説明する。図５に表示画面５１を示す。表示画面５１は、第２の字幕表示処理のステップＳ２８において映像出力部１９に表示される画面を示している。表示画面５１は、映像表示領域５１Ａと、字幕表示領域５６と、を含む。
【００４６】
映像表示領域５１Ａは、映像表示部５２，５３，５４，５５を含む。映像表示部５２は、表示画面３１の映像表示部３２と同様である。映像表示部５３は、チューナ１５Ｂにより選局されたチャンネル（８チャンネル）で放送される番組の映像を表示する。映像表示部５４は、チューナ１５Ｃにより選局されたチャンネル（９チャンネル）で放送される番組の映像を表示する。映像表示部５５は、チューナ１５Ｄにより選局されたチャンネル（１２チャンネル）で放送される番組の映像を表示する。字幕表示領域５６は、８チャンネル、９チャンネル、１２チャンネルで放送される番組の字幕を表示する。視聴者は、表示画面５１を参照することにより、多くの番組を視聴することが可能となる。
【００４７】
以上、本実施の形態によれば、制御部１１は、操作部１２からの操作指示信号が入力された場合、受信信号処理部１４Ａにより選局された映像信号（例えば、６チャンネルで放送される番組の映像信号）と受信信号処理部１４Ｂにより選局された映像信号（例えば、１２チャンネルで放送される番組の映像信号）とを映像表示領域３１Ａに表示させる。また、制御部１１は、受信信号処理部１４Ｂの字幕抽出部１６Ｂにより抽出された字幕信号に対応する字幕を字幕表示部３４に表示させる。これにより、視聴者は、字幕の可読性を向上させることができ、複数の番組の同時視聴が容易に可能となる。
【００４８】
また、制御部１１は、設定された文字色、文字サイズ、又は文字キャラクタに応じて、字幕を映像出力部１９の字幕表示領域３４に表示させることができる。
【００４９】
（第２の実施の形態）
図６〜図８を参照して、本発明に係る第２の実施の形態を説明する。以下、第１の実施の形態における映像表示装置１と同様な部分には同一の符号を付し、その詳細な説明を援用し、異なる部分について説明する。
【００５０】
図６を参照して映像表示装置２の装置構成について説明する。映像表示装置１は、制御部１１と、操作部１２と、アンテナ１３と、受信信号処理部１４Ａ，１４Ｂと、映像合成処理部・音声処理部１８と、映像出力部１９と、音声出力部２０と、記憶部２１と、を備えて構成される。
【００５１】
制御部１１は、第３の字幕表示プログラムとの協働により、放送局を任意の時間間隔で順繰りに受信信号処理部１４Ｂに選局させ、操作部１２からの操作指示信号が入力された場合に、受信信号処理部１４Ａにより選局された一の映像信号、受信信号処理部１４Ｂにより選局された他の映像信号及び記憶部２１に記憶された他の映像信号を映像出力部１９の映像表示領域に表示させる。また、制御部１１は、字幕抽出部１６Ｂにより抽出された字幕信号に対応する字幕及び記憶部に記憶された他の字幕信号に対応する字幕を映像出力部１９の字幕表示領域８６に表示させる。ここで、記憶部２１に記憶された他の映像信号及び他の字幕信号とは、記憶部２１に記憶されており、受信信号処理部１４Ｂのチューナ１５Ｂにより現在選局されていない放送波に含まれた信号のことをいう。例えば、後述する９、１２チャンネルの放送波に含まれる映像信号及び字幕信号に該当する。
なお、受信信号処理部１４Ａは、１つのチャンネルの選局を行い、受信信号処理部１４Ｂは、複数のチャンネルの選局を行うものとして以下、説明する。
【００５２】
チューナ１５Ｂは、放送局を任意の時間間隔で順繰りに選局する。具体的には、チューナ１５Ｂは、例えば、８チャンネルの選局（８チャンネルで放送される番組の選局）をすると、一定時間経過後に、９チャンネルで放送される番組を選局する。さらに、一定時間経過後に、１２チャンネルで放送される番組を選局する。
【００５３】
記憶部２１は、チューナ１５Ｂにより選局された映像信号及び字幕信号（例えば、８、９、１２チャンネルで放送される番組の映像信号及び字幕信号）次回選局時まで記憶する。例えば、チューナ１５Ｂにより８チャンネルで放送される番組が選局された場合、チューナ１５Ｂから出力された映像信号及び字幕信号が記憶部２１に記憶される。そして、チューナ１５Ｂにより８チャンネルで放送される番組が次回選局された時、次回選局時にチューナ１５Ｂから出力された映像信号及び字幕信号が更新記憶される。
【００５４】
次に、図７を参照して、映像表示装置１の制御部１１で実行される第３の字幕表示処理を説明する。第３の字幕表示処理は、チューナ１５Ｂにより複数の番組が選局され、当該選局された複数の番組の音声出力を行わない場合、それぞれの番組の字幕を映像出力部１９の字幕表示領域８６に表示させる処理である。
【００５５】
例えば、視聴者により操作部１２を介して第３の字幕表示処理の実行指示の入力がされたこと等をトリガとして、ＲＯＭから読み出されて適宜ＲＡＭに展開された第３の字幕表示プログラムと、制御部１１との協働により第３の字幕表示処理が実行される。
【００５６】
なお、本処理では、チューナ１５Ａで６チャンネルの選局が行われ、チューナ１５Ｂでチャンネル（８チャンネル、９チャンネル、１２チャンネル）の選局が行われる場合について説明する。ここで、予め、視聴者により操作部１２を介して、６チャンネルで放送される番組は音声出力し、８、９、１２チャンネルで放送される番組は音声出力せず、音声の代わりに字幕を表示する設定がされているものとする。
【００５７】
ステップＳ３１〜３４は、第１の字幕表示処理のステップＳ１１〜Ｓ１４とそれぞれ同様である。ステップＳ３４において、多画面表示要求があると判別された場合（ステップＳ３４；ＹＥＳ）、チューナ１５Ｂにより任意の番組の選局が行われる（ステップＳ３５）。具体的には、視聴者により設定されたチャンネル値（例えば、８チャンネル）に基づいて、チューナ１５Ｂにより放送局が選局される。そして、チューナ１５Ｂにより選局された放送局からの放送波が復調され、復調された復調信号が字幕抽出部１６Ｂ及びデコーダ１７Ｂにそれぞれ出力される。
【００５８】
ステップＳ３５の実行後、デコーダ１７Ｂにより復調信号がデコードされ出力される（ステップＳ３６）。具体的には、デコーダ１７Ｂによりチューナ１５Ｂから出力された復調信号がデコードされ、再生可能な映像信号が得られ、当該映像信号が映像合成処理部・音声処理部１８に出力される。このとき、映像信号は、記憶部２１にも同様に出力される。出力された映像信号は、次回選局時まで記憶部２１に記憶される。
【００５９】
そして、チューナ１５Ｂからの復調信号に字幕信号があるか否かが判別される（ステップＳ３７）。すなわち、字幕抽出部１６Ｂによりチューナ１５Ｂから出力された復調信号に字幕信号があるか否かの検出が行われる。チューナ１５Ｂからの復調信号に字幕信号がないと判別された場合（ステップＳ３７；ＮＯ）、後述するステップＳ３９に移行される。
【００６０】
チューナ１５Ｂからの復調信号に字幕信号があると判別された場合（ステップＳ３７；ＹＥＳ）、字幕信号が抽出され、抽出された字幕信号が映像合成処理部・音声処理部１８に出力される。このとき、抽出された字幕信号は、記憶部２１にも同様に出力される。出力された字幕信号は次回選局時まで記憶部２１に記憶される。
【００６１】
また、このとき、チューナ１５Ｂにより現在選局されていない放送波（例えば、９、１２チャンネルの放送波）に含まれる映像信号及び字幕信号が記憶部２１から読み出される。そして、映像合成処理部・音声処理部１８により、記憶部２１から読み出された映像信号（９チャンネル及び１２チャンネルで放送される番組の映像信号）、デコーダ１７Ａから出力された映像信号（６チャンネルで放送される番組の映像信号）及びデコーダ１７Ｂから出力された映像信号（８チャンネルで放送される番組の映像信号）が合成され、合成された映像が生成される。また、映像合成処理部・音声処理部１８により、記憶部２１から読み出された字幕信号（９チャンネル及び１２チャンネルで放送される番組の字幕信号）、及び字幕抽出部１６Ｂから出力された字幕信号（８チャンネルで放送される番組の字幕信号）のそれぞれに対応する字幕が生成される。そして、生成された合成映像及び字幕が映像出力部１９に出力される。字幕は、後述する字幕表示領域８６に出力（表示）される（ステップＳ３８）。
【００６２】
ステップＳ３８の実行後、一定時間経過後、次の番組の選局を行うか否かが判別される（ステップＳ３９）。具体的には、例えば、ユーザの操作部１２を介する操作指示に基づいて、一定時間経過後に次の番組（例えば、９チャンネルの番組）の選局を行うか否かが判別される。一定時間経過後、次の番組の選局を行うと判別された場合（ステップＳ３９；ＹＥＳ）、ステップＳ３５に移行される。この場合、例えば、チューナ１５Ａにより９チャンネルの番組の選局が行われ、以下同様の処理（ステップＳ３５〜Ｓ３８）が行われる。ステップＳ３９において、一定時間経過後、次の番組の選局を行わないと判別された場合（ステップＳ３９；ＮＯ）、第３の字幕表示処理は終了される。
【００６３】
次に、図８（Ａ）〜（Ｄ）に表示画面８１の遷移を示す。表示画面８１は、チューナ１４，１５Ａを２つ備えた場合において複数の番組を視聴可能にする画面である。
【００６４】
先ず、図８（Ａ）を参照して、チューナ１５Ａにより６チャンネル、チューナ１５Ｂにより８チャンネルの選局が行われた場合の表示画面８１について説明する。図８（Ａ）に示す表示画面８１は、第３の字幕表示処理のステップＳ３８で表示される画面に該当する。図８（Ａ）に示す表示画面８１は、映像表示領域８１Ａと、字幕表示領域８６と、を含む。映像表示領域８１Ａは、映像表示部８２，８３，８４，８５を含む。映像表示部８２は、チューナ１５Ａにより選局されたチャンネル（６チャンネル）で放送される番組の映像を表示する。映像表示部８３は、チューナ１５Ｂにより選局されたチャンネル（８チャンネル）で放送される番組の映像を表示する。映像表示部８４は、現在はチューナ１５Ｂにより選局されていないが、以前選局された時のチャンネル（９チャンネル）で放送されていた番組の映像を表示する。映像表示部８５は、現在はチューナ１５Ｂにより選局されていないが、以前選局された時のチャンネル（１２チャンネル）で放送されていた番組の映像を表示する。字幕表示領域８６は、８チャンネル、９チャンネル、１２チャンネルで放送される番組の字幕を表示する。
【００６５】
また、図８（Ａ）の場合、映像表示部８２，８３及び字幕表示領域８６の表示態様が変化して表示される。すなわち、チューナ１５Ａにより選局された６チャンネルで放送される番組の映像、チューナ１５Ｂにより選局された８チャンネルで放送される番組の映像、及び８チャンネルで放送される番組の字幕の表示態様が変化して表示される。例えば、映像表示部８２の輪郭線８２Ａ及び映像表示部８３の輪郭線８３Ａが赤色で表示される。同様に、字幕表示部８６における８チャンネルで放送される番組の字幕が赤色で表示される。
【００６６】
次に、図８（Ｂ）における表示画面８１について説明する。図８（Ｂ）は、図８（Ａ）の表示画面８１から一定時間経過後の表示画面８１を示している。具体的には、チューナ１５Ｂにより８チャンネルで放送される番組が選局された状態から、一定時間経過後、チューナ１５Ｂにより９チャンネルで放送される番組が選局された場合における表示画面８１を示している。すなわち、選局された９チャンネルで放送される番組の映像及び字幕の更新が行われる。そして、更新された映像が映像表示部８４に表示され、更新された字幕が字幕表示領域８６に表示される。また、映像表示部８３は、現在はチューナ１５Ｂにより選局されていないが、以前選局された時のチャンネル（８チャンネル）で放送されていた番組の映像を表示する。映像表示部８５は、現在はチューナ１５Ｂにより選局されていないが、以前選局された時のチャンネル（１２チャンネル）で放送されていた番組の映像を表示する。
また、チューナ１５Ａにより選局された６チャンネルで放送される番組の映像信号及び音声信号の更新が行われる。そして、更新された６チャンネルで放送される番組の映像が映像表示部８２に表示され、音声が音声出力部２０から出力される。
【００６７】
図８（Ｂ）の場合、映像表示部８２，８４、字幕表示領域８６の表示態様が変化して表示される。すなわち、チューナ１５Ａにより選局された６チャンネルで放送される番組の映像、チューナ１５Ｂにより選局された９チャンネルで放送される番組の映像、及び９チャンネルで放送される番組の字幕の表示態様が変化して表示される。例えば、映像表示部８２の輪郭線８２Ａ及び映像表示部８４の輪郭線８４Ａが赤色で表示される。同様に、字幕報表示領域８６の９チャンネルの番組の字幕が赤色で表示される。
【００６８】
図８（Ｃ）は、図８（Ｂ）の表示画面８１が表示された状態から一定時間経過後の表示画面８１を示す。具体的には、図８（Ｃ）は、チューナ１５Ｂにより９チャンネルで放送される番組が選局されてから、一定時間経過後、チューナ１５Ｂにより１２チャンネルで放送される番組が選局された場合における表示画面８１を示す。また、図８（Ｄ）は、図８（Ｃ）の表示画面８１が表示された状態から一定時間経過後の表示画面８１を示す。具体的には、図８（Ｄ）は、チューナ１５Ｂにより１２チャンネルで放送される番組が選局されてから、一定時間経過後、チューナ１５Ｂにより８チャンネルで放送される番組が選局された場合における表示画面８１を示す。図８（Ｃ）、図８（Ｄ）の場合においても、図８（Ｂ）と同様の表示処理が行われる。
【００６９】
以上、本実施の形態によれば、一の映像信号（例えば、６チャンネル番組の映像信号）、他の映像信号（例えば、８チャンネルの番組の映像信号）及び記憶部２１に記憶された他の映像信号（例えば、９チャンネル、１２チャンネルの番組の映像信号）を映像表示部８１Ａに表示させる。また、制御部１１は、字幕抽出部１６Ｂにより抽出された字幕信号に対応する字幕及び記憶部２１に記憶された字幕信号（例えば、９チャンネル、１２チャンネルの番組の字幕信号）に対応する字幕を字幕表示領域８６に表示させる。これにより、最低２つのチューナ（チューナ１４、チューナ１５）を備えれば、各チャンネルで放送される番組の断続的な映像及び字幕を表示することができる。すなわち、２つのチューナのみの構成であっても、視聴者は、複数の番組を視聴することができる。
【００７０】
また、制御部１１は、例えば、チューナ１５Ａにより６チャンネルで放送される番組、チューナ１５Ｂにより８チャンネルで放送される番組が選局されている場合、６チャンネルで放送される番組の映像及び８チャンネルで放送される番組の映像の表示態様（表示色）を変化させて映像出力部１９の映像表示領域８１Ａに表示させることができる。また、制御部１１は、字幕抽出部１６Ｂにより抽出された字幕信号に対応する字幕の表示態様（表示色）を変化させて映像出力部１９の字幕表示領域８６に表示させることができる。これにより、視聴者は、選局されている番組の識別を容易に行うことができる。
【００７１】
なお、上記実施の形態における記述は、本発明に係る映像表示装置、映像表示方法、映像表示プログラムの一例であり、これに限定されるものではない。
【００７２】
例えば、上記第１の実施の形態及び第２の実施の形態において、他の映像信号は、表示しないこととしてもよい。具体的には、例えば、表示画面５１の場合、映像表示部５３，５４，５５（表示画面８１の場合、映像表示部８３，８４，８５）は表示しないこととしてもよい。
【００７３】
また、他の映像信号のうち、１つの放送局の映像信号のみを表示し、一の映像信号以外（他の映像信号の中から選択され表示されている放送局の字幕信号を含む）の字幕信号を字幕表示領域に表示することとしてもよい。具体的には、例えば、表示画面５１の場合、映像表示部５３のみを表示し映像表示部５４，５５は表示しない（表示画面８１の場合、映像表示部８３のみを表示し映像表示部８４，８５は表示しない）こととしてもよい。
【００７４】
また、音声出力を行わないチャンネル（８チャンネル、９チャンネル、１２チャンネル）で放送される番組が複数あり、音声出力を行うチャンネル（６チャンネル）で放送される番組が１つの場合について説明したが、これに限定されるものではない。例えば、音声出力を行うチャンネルが複数あることとしてもよい。
【００７５】
その他、上記実施の形態における映像表示装置１の細部構成及び詳細動作に関しても、本発明の趣旨を逸脱しない範囲で適宜変更可能である。
【図面の簡単な説明】
【００７６】
【図１】本発明に係る第１の実施の形態における映像表示装置の構成図である。
【図２】第１の字幕表示処理を示すフローチャートである。
【図３】映像出力部に表示される画面例を示した図である。
【図４】第２の字幕表示処理を示すフローチャートである。
【図５】映像出力部に表示される画面例を示した図である。
【図６】本発明に係る第２の実施の形態における映像表示装置の構成図である。
【図７】第３の字幕表示処理を示すフローチャートである。
【図８】チューナを２つ備えた場合において映像出力部に表示される画面の遷移を示した図である。
【図９】従来の２画面表示の表示画面を示した図である。
【図１０】従来の４画面表示の表示画面を示した図である。
【符号の説明】
【００７７】
１     映像表示装置
１１   制御部
１２   操作部
１３   アンテナ
１４Ａ〜１４Ｎ  受信信号処理部
１５Ａ〜１５Ｎ  チューナ
１６Ａ〜１６Ｎ  字幕抽出部
１７Ａ〜１７Ｎ  デコーダ
１８   映像合成処理部・音声処理部
１９   映像出力部
２０   音声出力部
【図１】
2009164697.tif 000003
【図２】
2009164697.tif 000004
【図３】
2009164697.tif 000005
【図４】
2009164697.tif 000006
【図５】
2009164697.tif 000007
【図６】
2009164697.tif 000008
【図７】
2009164697.tif 000009
【図８】
2009164697.tif 000010
【図９】
2009164697.tif 000011
【図１０】
2009164697.tif 000012